(57)【特許請求の範囲】
【請求項１】
所定の規則で生成される被検者ＩＤが付与される被検者の撮影を順次実行する第一の撮影モードの実行中であって、第一の被検者ＩＤが付与される被検者の撮影に対応する撮影画面が表示された状態で、当該第一の撮影モードの撮影ではない割り込み撮影を指示する撮影指示手段と、
前記指示に応じて行われた割り込み撮影の後に、当該割り込み撮影に対応する撮影画面が表示された状態で、前記所定の規則に基づいて前記第一の被検者ＩＤの次に生成される第二の被検者ＩＤが付与される被検者の撮影に対応する撮影画面を、表示部に表示させる指示を取得する取得手段と、
前記指示が取得されることに応じて、前記割り込み撮影に対応する撮影画面から、前記第二の被検者ＩＤが付与される被検者の撮影に対応する撮影画面へと表示を遷移させる表示制御手段と、
を有することを特徴とする撮影制御装置。
【請求項２】
前記第一の撮影モードと、外部装置からの受信またはユーザに操作される操作部からの入力のいずれかに応じて得られる被検者ＩＤを含み、当該被検者ＩＤを含む検査情報が前記操作部からの入力により指定されることに応じて撮影が実行される第二の撮影モードとのいずれかを実行する設定を行う設定手段
を更に有することを特徴とする請求項１に記載の撮影制御装置。
【請求項３】
前記所定の規則に基づいて連番の被検者ＩＤを生成する生成手段を更に有することを特徴とする請求項１または２に記載の撮影制御装置。
【請求項４】
前記表示制御手段は、前記割り込み撮影に対して前記所定の規則で生成される被検者ＩＤと同一の被検者ＩＤが設定される場合に警告を表示させることを特徴とする請求項１乃至３のいずれか１項に記載の撮影制御装置。
【請求項５】
前記割り込み撮影が連続する回数が所定の閾値よりも多い場合には前記表示させる指示が取得された場合に前記付与されるべき被検者ＩＤが付与される被検者の前記第一の撮影モードでの撮影を許可し、
前記割り込み撮影が連続する回数が所定の閾値より少ない場合には前記指示が取得されたか否かによらず前記付与されるべき被検者ＩＤが付与される被検者の前記第一の撮影モードでの撮影を許可する制御手段と、
をさらに有することを特徴とする請求項１乃至４のいずれか１項に記載の撮影制御装置。
【請求項６】
前記取得手段は、前記付与されるべく生成された被検者ＩＤを表示させる、操作部において入力された指示を取得する
ことを特徴とする請求項１乃至５のいずれか１項に記載の撮影制御装置。
【請求項７】
前記表示制御手段は、前記割り込み撮影の終了に応じて、前記割り込み撮影に対応する撮影画面から、前記第二の被検者ＩＤが付与される被検者の撮影に対応する撮影画面へと表示を遷移させることを特徴とする請求項１乃至６のいずれか１項に記載の撮影制御装置。
【請求項８】
前記表示制御手段は、前記割り込み撮影の終了に応じて、前記第二の被検者ＩＤを表示部に表示させるとともに、該第二の被検者ＩＤの表示が終了したことに応じて該第二の被検者ＩＤが付与される被検者の撮影に対応する撮影画面を表示部に表示させることを特徴とする請求項１乃至６のいずれか１項に記載の撮影制御装置。
【請求項９】
前記表示制御手段は、前記割り込み撮影の終了に応じて、前記第二の被検者ＩＤを表示させるとともに、該第二の被検者ＩＤの確認が済んだことを示す指示を入力するためのボタンを表示させることを特徴とする請求項１乃至６のいずれか１項に記載の撮影制御装置。
【請求項１０】
前記撮影指示手段は、外部装置から受信された撮影条件、ユーザに操作された操作部から入力された撮影条件、予め入力され保留されていた撮影条件のいずれかに基づく割り込み撮影を指示することを特徴とする請求項１乃至６のいずれか１項に記載の撮影制御装置。
【請求項１１】
Ｘ線を検出して画像を得る撮影手段と、
所定の規則に基づいて被検者ＩＤが順次付与される被検者群のＸ線撮影を前記撮影手段により順次実行する第一の撮影モードを実行する設定を行う設定手段と、
前記第一の撮影モードの実行中であって、第一の被検者ＩＤが付与される被検者の撮影に対応する撮影画面が表示された状態で、前記所定の条件に応じた被検者ＩＤが付与されない割り込み撮影を指示する撮影指示手段と、
前記指示に応じて行われた割り込み撮影の終了に応じて、前記割り込み撮影に対応する撮影画面から、前記所定の規則に基づいて前記第一の被検者ＩＤの次に生成される第二の被検者ＩＤが付与される被検者の撮影に対応する撮影画面へと表示部の表示を遷移させる表示制御手段と、を有することを特徴とするＸ線撮影装置。
【請求項１２】
所定の規則で生成される被検者ＩＤが付与される被検者の撮影を順次実行する第一の撮影モードの実行中であって、第一の被検者ＩＤが付与される被検者の撮影に対応する撮影画面が表示された状態で、当該第一の撮影モードの撮影ではない割り込み撮影を指示する撮影指示手段と、
前記指示に応じて行われた割り込み撮影の後に、当該割り込み撮影に対応する撮影画面が表示された状態で、前記所定の規則に基づいて前記第一の被検者ＩＤの次に生成される第二の被検者ＩＤが付与される被検者の撮影に対応する撮影画面を、表示部に表示させる指示を取得する取得手段と、
前記指示が取得されることに応じて、前記割り込み撮影に対応する撮影画面から、前記第二の被検者ＩＤが付与される被検者の撮影に対応する撮影画面へと表示を遷移させる表示制御手段と、を有することを特徴とする撮影制御システム。
【請求項１３】
所定の規則に基づいて被検者ＩＤが順次生成される被検者ＩＤが付与される被検者の撮影を順次実行する第一の撮影モードの実行中に割り込み撮影を指示するステップと、前記割り込み撮影の直前に行われた前記第一の撮影モードでの撮影の次に前記第一の撮影モードで撮影される被検者に付与されるべく前記所定の規則に基づき生成された被検者ＩＤを、前記割り込み撮影の後に表示部に表示させる指示を取得するステップと、
前記指示が取得された場合に、前記表示させる指示に係る被検者ＩＤが付与される被検者の前記第一の撮影モードでの撮影を許可するステップと、
を有することを特徴とする撮影制御方法。
【請求項１４】
請求項１３に記載の撮影制御方法をコンピュータに実行させるためのプログラム。
【発明の詳細な説明】
【技術分野】
【０００１】
本発明は被検者情報を管理し撮影を制御する撮影制御装置、Ｘ線撮影装置、撮影制御方法及び撮影制御処理をコンピュータに実行するためのプログラムに関する。
【背景技術】
【０００２】
近年、Ｘ線撮影装置で検査を進行する方法は、患者情報および、医師により要求された撮影部位や撮影方法、画像処理等を含む撮影プロトコルから成る検査オーダーを、放射線技師等の操作者が手動で作成し検査を進行している。また、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等を用いた病院内のオンライン化の発展に伴い、予め外部で作成された検査オーダーを、ネットワークを介して接続されたＸ線撮影装置へ転送し検査を進行することも可能になった。更に、検診向け検査オーダーの自動生成や、緊急患者を容易に検査進行するＸ線撮影システム、磁気カードやバーコードリーダーなどの外部装置よる検査オーダーが入力可能なＸ線撮影システムなど、様々な方法で検査を入力し進行することが可能となっている。
【０００３】
また、開始した検査を一時的に保留状態にしてくことができるＸ線撮影システムもある。間隔をあけて撮影する検査や、患者が検査を継続できなくなった場合に、一時的に検査を保留にしておき、その間に別患者の検査を実施することができる。（特許文献１）
【先行技術文献】
【特許文献】
【０００４】
【特許文献１】特開２００３−２４５２７０号
【発明の概要】
【発明が解決しようとする課題】
【０００５】
かかる装置を用いて例えば集団検診を運用しようとする場合、被験者を区別可能な被検者ＩＤおよび既定の撮影部位その他の撮影条件が自動で設定される。
【０００６】
しかしながら自動で設定されてしまうがゆえに、誤った撮影が行われるのを防止するため、設定内容について検査者は細心の注意を払い確認する必要がある。
【課題を解決するための手段】
【０００７】
そこで本発明の実施形態に係る撮影制御装置は、所定の規則で生成される被検者ＩＤが付与される被検者の撮影を順次実行する第一の撮影モードの実行中であって、第一の被検者ＩＤが付与される被検者の撮影に対応する撮影画面が表示された状態で、当該第一の撮影モードの撮影ではない割り込み撮影を指示する撮影指示手段と、前記指示に応じて行われた割り込み撮影の後に、当該割り込み撮影に対応する撮影画面が表示された状態で、前記所定の規則に基づいて前記第一の被検者ＩＤの次に生成される第二の被検者ＩＤが付与される被検者の撮影に対応する撮影画面を、表示部に表示させる指示を取得する取得手段と、前記指示が取得されることに応じて、前記割り込み撮影に対応する撮影画面から、前記第二の被検者ＩＤが付与される被検者の撮影に対応する撮影画面へと表示を遷移させる表示制御手段と、を有することを特徴とする。
【発明の効果】
【０００８】
このように、第一の撮影モードの実行中に割り込み撮影が行われた場合、割り込み撮影の終了後に第一の撮影モードにおいて次に付与されるべき被検者ＩＤが表示された場合に第一の撮影モードへの移行を許可する。これにより検査者に注意を促し誤った撮影が行われる可能性を減らすことができる。
【図面の簡単な説明】
【０００９】
【図１】Ｘ線撮影システム１００の構成を示す図である。
【図２】撮影制御部１００４の詳細な構成を示す図である。
【図３】実施例１に係る処理の概要を示すフローチャートである。
【図４】検査情報入力画面
【図５】検診検査情報画面
【図６】検診運用設定画面
【図７】実施例１の画面遷移図の一例である。
【図８】実施例２に係る処理の概要を示すフローチャートである。
【図９】実施例３に係る処理の概要を示すフローチャートである。
【図１０】実施例４のＸ線撮影システム機能の構成図
【図１１】実施例４の割り込み検査開始時の処理を示すフローチャートである。
【図１２】実施例４の割り込み検査終了時の処理を示すフローチャートである。
【図１３】実施例４に係る撮影制御装置１２のハードウェアを示す図である。
【図１４】実施例４に係る処理の流れを示すフローチャートである。
【発明を実施するための形態】
【００１０】
［実施例１］
本発明は、図１に示すようなＸ線撮影システム１００  に適用される。この、Ｘ線撮影システム１００は、放射線部門内の情報システムであるＲＩＳ  １０１４、Ｘ線デジタル画像を撮影するＸ線撮影装置１０１０を備える。更に、Ｘ線撮影装置１０１０で撮影したＸ線デジタル画像を保存・管理するＰＡＣＳ  １０１６、診断用Ｘ線デジタル画像を表示するＶｉｅｗｅｒ  １０１８やプリンタ  １０２０を備え、ネットワーク１００８で接続される。
【００１１】
また、Ｘ線撮影装置１０１０は、Ｘ線を照射するＸ線管球１０００、Ｘ線管球１０００を制御するＸ線発生装置制御部１００１、Ｘ線を受光して画像を生成するセンサ１００３から成るセンサユニット１００２、Ｘ線撮影を制御する撮影制御部１００４で構成される。１００５はＸ線撮影装置１０１０の表示部であり、検査情報や撮影画像を表示する。また、１００６はＸ線撮影装置１０１０の操作入力部であり、検査情報の入力や、画像処理の操作、検査進行指示等を行う。更に１００６は、磁気カードやバーコードリーダー等の外部装置の入力を含む。
【００１２】
撮影制御部１００４は、ＲＩＳ  １０１４から受信した検査オーダー、もしくは操作者が操作入力部１００６により入力した検査オーダーを表示部１００５に表示する。また選択された撮影プロトコルに応じた、管電流や管電圧、照射時間等の撮影条件をＸ線発生装置制御部１００１へ送る。Ｘ線発生装置制御部１００１は、照射ボタンが押されると撮影条件に応じてＸ線管球１０００に高電圧をかけ、Ｘ線を発生させる。センサユニット１００２は、センサ１００３で検出された被検者の透過Ｘ線量に相当する電荷をＡ／Ｄ変換し、Ｘ線デジタル画像として撮影制御部１００４へ転送する。撮影制御部１００４は、受信したＸ線デジタル画像に対し、操作者が選択した撮影プロトコルに紐づく画像処理パラメータに基づいて、様々な補正処理や画像処理を施す。そして、画像処理後のＸ線デジタル画像をＰＡＣＳ  １０１６へ保存すると共に、Ｖｉｅｗｅｒ１０１８やプリンタ１０２０に出力し、診断が行われる。
【００１３】
図２は、本発明の実施例１におけるＸ線撮影システム１００の撮影制御部１００４の一部である。同図において、検査情報取得部２００１は、ＲＩＳ１０１４や操作部１００６によって要求された検査情報を受信し入力する。自動生成情報取得部２００２は、検査進行制御部２０００より検査情報の自動生成要求を受け、自動生成情報記憶部２０１０に保持されている情報に基づき検査情報を自動生成し入力する。検査進行制御部２０００は、入力された検査情報を検査情報記憶部２０１１に保存し、保存された検査情報に基づき検査の進行を管理する。検査状態制御部２００４は、操作部１００６からの検査の終了や保留、キャンセルを監視し検査の状態を制御する。また、検査状態制御部２００４は、検査の保留が行われた際、保留検査情報記憶部２０１２に保留された検査情報を保存する。保留検査情報入力部２００３は、操作部１００６からの保留検査再開要求を受信すると、保留検査情報記憶部２０１２から対象となる保留検査情報を取得し入力する。
【００１４】
図３は、本実施例のフローチャートで、図２の検査進行制御部２０００に関する。
【００１５】
図４（ａ）、（ｂ）は検査情報入力画面で、（ａ）は新規検査のマニュアル入力画面４０１０、（ｂ）は保留検査を再開する保留検査入力画面４０２０の一例を示し、表示部１００５に表示される。図４（ａ）および（ｂ）には、検査情報の入力を切り替えるタブ４０１１が設けられており、検査をマニュアル入力するマニュアル、ＲＩＳ  １０１４から受信した検査が選択可能なＭＷＬ、保留検査を再開する保留のタブから成る。なお、図４  （ａ）は切り替えタブ４００１のマニュアルを選択した状態、図４  （ｂ）は保留を選択した状態の入力画面である。図４（ａ）は、患者情報を手動で入力する患者情報入力部４０１２、既に登録済の患者情報から選択可能な患者情報リスト部４０１６から構成される。いずれかにより患者情報を入力した後、入力ボタン４０１３を押下し、撮影プロトコル選択画面へと遷移する。更に、患者情報の入力が不要な緊急患者ボタン４０１５、自動で検査情報を生成し検査を進行可能な検診ボタン４０１４が設けられている。また、図４  （ｂ）は、保留検査を検索する検査リスト検索部４０２１、保留中の検査一覧である保留検査リスト部４０２２、保留検査を選択し再開するための検査開始ボタン４０２３から成る。
【００１６】
図５は、図４（ａ）の検診ボタン４０１４押下により表示される検診情報画面５０００の一例を示し、マニュアル入力画面４０１０の上に配置され、表示部１００５に表示される。検診情報画面５０００は、以後自動生成される検査情報の基準となる初回患者ＩＤを確認するための患者ＩＤ表示部５００１、患者ＩＤをＵｐ、Ｄｏｗｎボタンで変更可能な患者ＩＤ入力部５００２、患者ＩＤ入力を例えばテンキー入力に切り替える画面切替ボタン５００３から成る。更に、自動生成する検査情報をあらかじめ運用サイト毎に複数設定しておき、それらを切り替える運用切替ボタン５００４が設けられている。また、キャンセルボタン５００５が押下されると検診モードを開始せずに画面を閉じ、ＯＫボタン５００６が押下されると検診モードが開始される。検診モード時は、患者ＩＤ表示部５００１の患者ＩＤを基準に、例えば１ずつ増加することでユニークな患者ＩＤが生成される。
【００１７】
図６は、図５の運用切替ボタン５００４押下により表示される運用設定画面６０００の一例を示し、検診情報画面５０００の上に配置され、表示部１００５に表示される。運用設定画面６０００は、あらかじめ登録されている運用サイトから使用する運用を選択可能な運用選択部６００１、運用サイト毎の設定情報を一覧可能な運用リスト６００２、詳細設定画面へ遷移するプロパティボタン６００３から成る。運用方法リスト６００２では、例えば自動生成する患者ＩＤに付与する属性や、患者ＩＤの有効桁数、患者ＩＤを有効桁数でゼロ埋めするか否か、撮影するプロトコルの情報などが確認できる。キャンセルボタン６００４が押下されると変更をキャンセルし、ＯＫボタン６００５が押下されると変更を反映し画面を閉じる。
【００１８】
図７は、本実施例における画面遷移の一例であり、表示部１００５に表示される。
【００１９】
次に、図１、図２、図３、図４、図５、図６、図７を用いて本実施例の全体の流れについて説明する。
【００２０】
放射線技師は、検診運用を開始するため表示部１００５、操作部１００６を用いてマニュアル入力画面４０１０の検診ボタン４０１４を押下する。そして、検診情報画面５０００で、検診モードで自動生成される検査情報を確認する。必要に応じて患者ＩＤ入力部５００２より、基準となる患者ＩＤを変更したり、運用設定画面６０００から使用する運用設定を切り替えたり、プロパティボタン６００３を押下し各種詳細設定を行う。そして、検診情報画面５０００のＯＫボタン５００６を押下し検診モードを開始する。通常の検診フローは、検診を受ける被写体が連続して撮影室に入り撮影を繰り返す。その際、表示部１００５に表示される画面遷移は、図７（ａ）  マニュアル入力画面４０１０、図７  （ｂ）  検診情報画面５０００を経て検診モードへ遷移する。そしてあらかじめ設定されている情報に基づき検査情報が自動生成され、図７（ｃ）撮影前撮影画面７０１０に遷移する。撮影が行われると図７（ｄ）撮影後撮影画面７０２０に遷移し、検査終了ボタン７０２１押下により、次の検査が自動生成され図７（ｃ）撮影前撮影画面７０１０に遷移する。また、図７（ｃ）、および図７（ｄ）の検査保留ボタン７０１１押下時も、次の検査が自動生成され図７（ｃ）撮影前撮影画面７０１０に遷移する。その後、例えば、図７（ｃ）撮影前撮影画面７０１０のキャンセルボタン７０１２押下により検診モードをやめるまで、図７（ｃ）と図７（ｄ）の画面遷移を繰り返す。
【００２１】
病院内において検診運用中に、検診以外の患者の撮影を要求されたり、検診中の被写体が何らかの理由で撮影継続できなくなり、一時保留してから検査を再開したりすることがある。その際の、撮影制御部１００４の詳細について以下に示す。
【００２２】
まず、検診以外の患者の検査オーダーが例えば磁気カードにより入力されると、検査情報取得部２００１は要求された検査情報を受信し、検査進行制御部２０００に通知する。検査進行制御部２０００は、要求された検査情報を検査情報記憶部２０１１に保存し、磁気カードによって要求された検査の撮影を進行する。放射線技師が、操作部１００６によって検査の終了操作を行うと、検査状態制御部２００４が検知し、検査進行制御部２０００に検査の終了を通知する。すると、検査進行制御部２０００は、検査情報記憶部２０１１に保存されている終了した検査の検査情報を取得する（Ｓ３０１）。そして、取得した検査の検査種別が検診かを判別する（Ｓ３０２）。この場合、検査種別は磁気カードであり、検診ではないためマニュアル入力画面４０１０へ遷移する。
【００２３】
次に、マニュアル入力画面４０１０の検診ボタン４０１４を押下し、検診情報画面５０００のＯＫボタン５００６押下後の検診中に、被写体が例えばトイレに行きたくなったため、放射線技師が操作部１００６により検査を保留したとする。すると、検査状態制御部２００４が保留を検知し、保留検査情報記憶部２０１２に保留された検査情報を保存後、検査進行制御部２０００に検査の保留を通知する。検査進行制御部２０００は、検査情報記憶部２０１１に保存されている保留した検査の検査情報を取得する（Ｓ３０１）。そして、取得した検査の検査種別が検診かを判別する（Ｓ３０２）。検査種別は検診なので、さらにＳ３０１で取得した検査情報から検査開始時の状態が新規検査かを判別する（Ｓ３０３）。保留した検査は新規で開始しているので、自動生成情報取得部２００２に検査の自動生成を要求する（Ｓ３０４）。検査情報自動生成部２００２は、自動生成要求を受けると自動生成情報記憶部２０１０に保持されている情報に基づき検査情報を自動生成する。例えば、自動生成情報記憶部２０１０に患者ＩＤの情報として、有効桁数７桁かつ、ゼロ埋め有効、付属情報として西暦４桁の撮影日＋識別情報”Ａ１”、最後に発番したＩＤが１００と保存されているとする。この場合、自動生成する患者ＩＤは”２０１１０２１１−Ａ１−００００１０１”となる。また、あらかじめ撮影するプロトコルが胸部Ｐ−Ａと胸部Ｒ−Ｌと保存されている場合、これらの撮影プロトコルで検査オーダーを生成し、撮影前撮影画面７０１０に遷移する。
【００２４】
先ほど保留にした被写体が戻ってきたため、放射線技師は、表示部１００５、操作部１００６を用いて保留検査入力画面４０２０より対象となる保留検査を選択し、検査開始ボタン４０２３を押下する。すると、保留検査情報入力部２００３が保留検査の再開要求を受信し、保留検査情報記憶部２０１２から対象となる保留検査情報を取得し、検査進行制御部２０００に通知する。検査進行制御部２０００は、再開要求された検査情報を検査情報記憶部２０１１に保存し、保留検査の撮影を進行する。放射線技師が、操作部１００６によって検査の終了操作を行うと、検査状態制御部２００４が検知し、検査進行制御部２０００に検査の終了を通知する。すると、検査進行制御部２０００は、検査情報記憶部２０１１に保存されている終了した検査の検査情報を取得する（Ｓ３０１）。そして、取得した検査の検査種別が検診かを判別する（Ｓ３０２）。検査種別は検診なので、さらにＳ３０１で取得した検査情報から検査開始時の状態が新規検査かを判別する（Ｓ３０３）。この場合、新規検査ではなく保留検査を再開した検査であるため、自動生成情報取得部２００２から自動生成される検査情報の基準となる初回患者ＩＤ確認状況を取得し、確認済みかを判別する（Ｓ３０５）。既に確認済みであるため、自動生成情報取得部２００２に検査の自動生成を要求し（Ｓ３０４）、撮影前撮影画面７０１０に遷移する。保留検査を再開する前に、何らかの理由でＸ線撮影装置１０１０を再起動し、その後、一度も検診モードで運用せずに、検診中に保留した検査を再開した場合は、Ｓ３０５で初回患者ＩＤを未確認とし、マニュアル入力画面４０１０へ遷移する。
なお、検査を保留にする際、撮影前撮影画面７０１０や撮影後撮影画面７０２０の患者情報部７０１３より被写体の名前等の特徴を入力し、保留検査情報記憶部２０１２に保存しておき、保留検査入力画面４０２０で参照しながら再開する検査を選択してもよい。
【００２５】
［実施例２］
次に、検診検査中の被写体を一時保留してから検査を再開する際の異なる実施例について以下に述べる。
【００２６】
図８は、本実施例のフローチャートで、図２の検査進行制御部２０００に関し、図３の第実施例１のフローチャートの符号と同じステップは処理も同様である。
【００２７】
次に、図１乃至図８を用いて本実施例の全体の流れについて説明する。
【００２８】
検診検査は、通常の健康診断のような検診の他に、例えば、肺結核検診など、目的によって自動生成する検査情報が異なる。そのため、午前中は通常の検診、午後は肺結核検診といったように、時間帯によって検診の種類が異なる場合がある。そこで、放射線技師は、予め検診ごとに詳細設定を行い、運用設定画面６０００の運用選択部６００１を用いて、時間帯によって運用を切り替える。
【００２９】
例えば、午前中に通常の検診をしていた被写体が、途中で気分が悪くなったため検査を一時保留にしたとする。午後になり、肺結核検診の設定に切り替えた状態で、午前中に保留にした被写体の体調が回復したため、検査を再開することになったとする。この場合の、撮影制御部１００４の詳細について以下に示す。
【００３０】
まず、肺結核検診運用中に午前中に保留にした被写体の体調が回復し戻ってきたため、放射線技師は、表示部１００５、操作部１００６を用いて保留検査入力画面４０２０より対象となる保留検査を選択し、検査開始ボタン４０２３を押下する。すると、保留検査情報入力部２００３が保留検査の再開要求を受信し、保留検査情報記憶部２０１２から対象となる保留検査情報を取得し、検査進行制御部２０００に通知する。検査進行制御部２０００は、再開要求された検査情報を検査情報記憶部２０１１に保存し、保留検査の撮影を進行する。放射線技師が、操作部１００６によって検査の終了操作を行うと、検査状態制御部２００４が検知し、検査進行制御部２０００に検査の終了を通知する。すると、検査進行制御部２０００は、検査情報記憶部２０１１に保存されている終了した検査の検査情報を取得する（Ｓ３０１）。そして、取得した検査の検査種別が検診かを判別する（Ｓ３０２）。検査種別は検診なので、Ｓ３０１のステップで取得した検査情報から検査開始時の状態が新規検査かを判別する（Ｓ３０３）。この場合、保留検査を再開した検査であるため、自動生成情報取得部２００２から自動生成される検査情報の基準となる初回患者ＩＤ確認状況を取得し、確認済みかを判別する（Ｓ３０５）。既に肺結核の検診運用を開始中であるため、確認済みとなる。更に、検査進行制御部２０００は、自動生成情報取得部２００２より現在設定されている運用方法を取得する（Ｓ３０６）。例えば、通常検診を”運用１”、肺結核検診を”運用２”と設定している場合、現在設定されている運用方法は、”運用２”となる。そして、Ｓ３０１のステップで取得した検査情報の運用方法とＳ３０６で取得した運用方法が一致するかを判別する（Ｓ３０７）。すると、Ｓ３０１で取得した運用方法は””運用１”、  Ｓ３０６で取得した運用方法は”運用２”であり一致しないため、マニュアル入力画面４０１０へ遷移する。運用方法の切り替えが行われていない場合は、Ｓ３０７のステップで一致すると判断し、自動生成情報取得部２００２に検査の自動生成を要求し（Ｓ３０４）、撮影前撮影画面７０１０に遷移する。
【００３１】
［実施例３］
次に、検診検査の撮影中に検診以外の患者の割り込み撮影を要求された際の異なる実施例について以下に示す。
【００３２】
図９は、本発明の実施例３におけるＸ線撮影システム機能の構成を示す。なお、図９は、Ｘ線撮影制御部１００４の一部であり、実施例１で説明した図２中の符号と同じものは同一のものを示す。同図において割り込み検査監視部２１００は、検査情報取得部２００１による検査の入力を監視する。更に、検査種別が検診の検査中に割り込みを検知すると、割り込みが発生したことを操作者へ通知し、検診検査中の情報を割り込み時検査情報記憶部２１１０に保存する。そして、検査進行制御部２０００を介して検査状態制御部２００４へ検査の保留を要求し、割り込み検査の開始を指示する。
【００３３】
図１０、図１１は、本実施例のフローチャートで、それぞれ図９の割り込み検査監視部２１００、検査進行制御部２０００に関する。
【００３４】
次に、図１、図４、図５、図６、図７、図９、図１０、図１１を用いて本実施例の全体の流れについて説明する。
【００３５】
病院内において検診運用中、次の被写体の検査を開始しようと表示部１００５に撮影画面７０１０を表示中に、検診以外の患者の検査オーダーが要求された場合を考える。この場合であって、割り込み患者の検査を優先して行い、その後、検診運用に戻るまでの撮影制御部１００４の詳細について以下に示す。
【００３６】
検診撮影中に、放射線技師によって例えば磁気カードによる割り込み検査の検査オーダーが入力されると、検査情報取得部２００１は要求された検査情報を受信する。そして、割り込み検査を監視中の割り込み検査監視部２１００が割り込みを検知する（Ｓ８０１）。割り込み検査監視部２１００は、割り込み検査を検知すると、検査進行制御部２０００で検診検査中かを判別する（Ｓ８０２）。ここでは、検診検査を開始しようと撮影前撮影画面７０１０表示中であるため、検診検査中と判断し、割り込み検査が要求されたことを放射線技師へ通知する（Ｓ８０３）。更に、検査進行制御部２０００より検診検査中の検査情報を取得し、割り込み時検査情報記憶部２１１０に検査識別情報を保存する（Ｓ８０４）。保存される情報は、割り込み検査終了後に検診検査を自動で再開するために必要な情報であり、保留検査情報記憶部２０１２から必要な情報を取得可能な識別情報で、例えば、患者ＩＤなどである。その後、検査進行制御部２０００へ検査中の検査の保留を指示する（Ｓ８０５）。検査進行制御部２０００は、保留要求を受け検査状態制御部２００４に検査の保留を指示する。検査状態制御部２００４は、要求された検査情報を保留検査情報記憶部２０１２に保存し、検査中の検査を保留にする。なお、保存される検査情報には、患者ＩＤ等の患者情報の他に、検査の進行状況や撮影条件、画像処理条件等を含む。その後、割り込み検査監視部２１００は、検査進行制御部２０００へ割り込まれた磁気カードの検査開始を要求する。
【００３７】
放射線技師が、操作部１００６によって割り込み検査の終了操作を行うと、検査状態制御部２００４が検知し、検査進行制御部２０００に検査の終了を通知する。すると、検査進行制御部２０００は、割り込み検査管理部２１００に割り込み終了待ち検査があるかを問い合わせる（Ｓ９０１）。この場合、磁気カードによる割り込み検査終了であるため、終了待ち検査があると判断される。すると、検査進行制御部２０００は、割り込み検査管理部２１００から終了待ちしている検査の識別情報を取得する（Ｓ９０２）。割り込み検査管理部２１００は、割り込み時検査情報記憶部２１１０から保存されている識別情報を取得し返す。更に、検査進行制御部２０００は、取得した識別情報を元に、保留検査入力部２００３に対して保留検査の再開を要求する（Ｓ９０３）。保留検査入力部２００３は依頼された識別情報に基づき、保留検査情報記憶部２０１２より関連する検査情報を取得し、保留検査再開を検査進行制御部２０００へ通知する。
【００３８】
［実施例４］
第４の実施例に係るＸ線撮影システム１００では、撮影制御部１００４が以下説明する図１２に示す撮影制御装置１２という１つの装置で構成されている。撮影制御装置１２は検査進行制御部１２００、表示制御部１２０１、モード設定部１２０２、ＩＤ生成部１２０３、割り込み撮影指示部１２０４、指示取得部１２０５、表示指示部１２０６、判定部１２０７を有する。
【００３９】
検査進行制御部１２００は順次実行される検査の進行に応じて撮影制御装置１２内の各部を制御する。表示制御部１２０１は検査の進行に応じて表示部１２０８にユーザが操作するための操作画面を表示させる。例えば先述の図４から図７に示される操作画面である。操作入力部１２０９からの入力に応じて操作画面上のボタンやアイコンがクリックされ、かかる操作情報を検査進行制御部１２００等が取得し、撮影制御装置１２全体が制御される。
【００４０】
モード設定部１２０２は、ユーザからの操作入力部１２０９からの入力に応じて検査のための撮影モードを実行させる設定を行う。ここで撮影モードの１つは、所定の条件に応じて順次生成される被検者ＩＤが付与される撮影を順次実行する第一の撮影モードである。かかるモードは例えば集団検診など、被検者群に対して固定の撮影部位を撮影する場合に用いられる。また撮影モードの１つは、ＲＩＳ等外部の装置からの入力または操作入力部１２０９からの手動入力に応じて被検者ＩＤその他の撮影条件が設定され、撮影が実行される第二の撮影モードである。これは集団検診とは異なり一般的に行われる通常の撮影モードである。
【００４１】
第一の撮影モードで実行する場合、検査者により図５の画面が表示され、撮影毎に撮影される被検者の被検者ＩＤ（患者ＩＤ）の初期番号が設定される。また検査者は先述の図６に示す画面を表示させ、第一の撮影モードの撮影条件を設定する。ここで設定されるのは、被検者ＩＤのＩＤヘッダー、ＩＤの桁数、ＩＤのゼロ埋めを行うか否か、撮影部位およびそれに対応する撮影方法である。
【００４２】
ＩＤ生成部１２０３は先述の第一の撮影モードが設定された場合に、検査の進行に応じて被検者ＩＤを順次生成する。被検者ＩＤを生成するための条件は、図６の画面において設定されたＩＤヘッダーと、被検者ＩＤの初期番号とによって定められる。生成するたびにインクリメントされた番号とＩＤヘッダーと合わせて被検者ＩＤが生成される。生成された被検者ＩＤは検診撮影に順次付与される。
【００４３】
割り込み撮影指示部１２０４は第一の撮影モードの実行中に割り込み撮影の実行を指示する。この指示機能は、例えば集団検診を実行中に緊急に患者の撮影依頼があった場合に、集団検診を一時中断して当該撮影依頼に対応するための機能である。この割り込み撮影は、第二の撮影モードに従う撮影のほか、第一の撮影モードに従う集団検診撮影でありかつ一時的に実行が保留された撮影も含まれる。
【００４４】
かかる機能は図７（ｃ）に示すキャンセルボタン７０１２によって実現される。ＲＩＳから緊急の撮影オーダーを受信した場合、表示制御部１２０１はオーダがあった旨のメッセージ表示させ、ユーザが割り込み撮影を行なうと判断した場合、操作入力部１２０９を介してキャンセルボタン７０１２を押下する。当該押下操作により割り込み撮影を行う選択がされると割り込み撮影指示部１２０４は検査進行制御部１２００にその旨の指示を行う。検査進行制御部１２００は第一の撮影モードを一時中断し、表示制御部１２０１は図７（ｃ）から図７（ａ）の画面へと遷移させる。
【００４５】
なお別の実施例としては、表示制御部１２０１はオーダがあった旨のメッセージとともに割り込み撮影を行うか否かを選択するためのボタンを表示させる。割り込み撮影を行う選択がされたことに応じて割り込み撮影指示部１２０４が割り込み撮影の撮影画面に遷移させることとすれば、割り込み撮影を行うためのユーザの操作負担を軽減することができる。
【００４６】
なおここで、割り込み撮影に対して設定される被検者ＩＤが、中断中の第一の撮影モード下でＩＤ生成部１２０３が生成する可能性のある被検者ＩＤと同一である場合には、表示制御部１２０１はその旨の警告を表示させる。例えば第一の撮影モードでの被検者ＩＤが２０１１０２１１−Ａ１−００００００１、２０１１０２１１−Ａ１−００００００２、と生成される場合に、割り込み撮影に対する被検者ＩＤが２０１１０２１１−Ａ１−００００００３であった場合には第一の撮影モードでの撮影の進行に応じて被検者ＩＤが重複してしまう恐れがある。このような状況を防ぐために警告を表示することで、被検者ＩＤの重複を防ぎ撮影情報の管理を容易にする。
【００４７】
割り込み撮影が終了した後、指示取得部１２０５は割り込み撮影の直前に行われた第一の撮影モードでの集団検診撮影の次の集団検診撮影に付与されるべく生成された被検者ＩＤを、表示部に表示させる指示を取得する。これは、割り込み撮影が行われた後第一の撮影モードに復帰する前に、今一度ユーザが確認するための指示を取得するための機能である。第一の撮影モードでは自動で被検者ＩＤおよび撮影条件が設定されてしまうため、確認ミスによる誤撮影や被検者取り違えを防ぐための措置である。ユーザは操作入力部１２０９を操作し図６の画面を表示させる指示を行う。割り込み撮影の終了後にかかる画面を表示させる指示を指示取得部１２０５が取得する。
【００４８】
また、割り込み撮影の終了に応じて表示指示部１２０６が、中断している第一の撮影モードで次の撮影に付与される被検者ＩＤを表示するダイアログを表示制御部１２０１に表示させる指示をすることもできる。指示取得部１２０５の機能を利用するか、表示指示部１２０６の機能を利用するかはユーザの設定に応じて選択される。
【００４９】
判定部１２０７は指示取得部１２０５または表示指示部１２０６により、第一の撮影モードに復帰した場合の撮影に付与される被検者ＩＤを表示する指示が行われたか否かを判定する。指示があった場合には、確認が済んだものと判定して、かかる判定結果を検査進行制御部１２００に通知する。検査進行制御部１２００はかかる通知に応じて中断中の第一の撮影モードの再開を許可する制御を行う。これにより、表示の指示がされた被検者ＩＤが付与される撮影が許可されることとなる。
【００５０】
上述の説明では、撮影制御装置１２の各部を回路で実現する場合として説明したが、撮影制御装置１２と、表示部１２０８と、操作入力部１２０９とを有する撮影制御システム１３をハードウェアとソフトウェアを協働させることで実現することもできる。図１３はかかる場合の撮影制御装置１２のハードウェア構成を示す図である。この場合撮影制御装置１２はＣＰＵ１３０１、ＲＡＭ１３０２、ＲＯＭ１３０３、外部記憶装置１３０４、インターフェース１３０５を有し、それぞれがバス１３０７を介して接続されている。また撮影制御装置１２にはモニタ１３０８、キーボード１３０９、マウス１３１０が接続されている。ＲＯＭ１３０３または外部記憶装置１３０４には後述する図１４のフローチャートに示す処理を実現するためのプログラムが格納されている。かかるプログラムをＣＰＵ１３０１がＲＡＭ１３０２に展開しＣＰＵ１３０１が実行することにより、先述の各機能が実現されるとともに図１４の処理が実現される。
【００５１】
図１４に従い、上述の構成を有する撮影制御装置１２が実行する処理の流れを説明する。
【００５２】
ステップＳ１４０１でモード設定部１２０２は操作部により入力された撮影モードを取得し設定する。直前の設定と同様であった場合には特に処理は行わず、設定が変更されていた場合には設定を更新する。
【００５３】
ステップＳ１４０２で検査進行制御部１２００は操作入力部１２０９からの入力に応じて撮影処理を行う。または、検査が保留される入力がなされる。割り込み撮影がなされる場合には、割り込み撮影指示部１２０４は割り込み撮影を指示する。撮影処理は図７（ｃ）の画面が表示された状態で撮影の開始指示を行うことにより開始され、図７（ｄ）の画面が表示される。この画面にて検査終了ボタン７０２１を押下することで１回の検査が終了する。また図７（ｄ）の画面で検査保留ボタン７０１１が押下されることで検査が保留される。
【００５４】
ステップＳ１４０３で検査進行制御部１２００は図７の検査終了ボタン７０２１が押下されるか、ソフトウェアが終了された場合には処理を終了する。終了されていない場合には次の処理に進む。
ステップＳ１４０４で検査進行制御部１２００は終了または保留した撮影処理に対応する検査情報を取得する。
ステップＳ１４０５で検査進行制御部１２００は終了した検査が、現在実行中の（第一の撮影モードに従う検診撮影に該当する検査であるかを判定する。かかる判定は被検者ＩＤや撮影条件の設定、または検査情報を参照することで行う。ここで終了した検査が現在実行中の検診撮影であると判定された場合には、判定に応じて次の検診撮影を行うためにＩＤ生成部１２０３が被検者ＩＤを生成する（ステップＳ１４０６）。その後被検者ＩＤその他の撮影条件が検査進行制御部１２００により読み込まれる（ステップＳ１４０７）。表示制御部１２０１は図７（ｃ）の画面を表示させ、次の検査に移行する。以下、ステップＳ１４０１に戻り、再び撮影が行われる。
ステップＳ１４０５にて終了した検査が第一の撮影モードに該当しない撮影であるか、または第一の撮影モードが実行されていない場合にはステップＳ１４０８に進む。
ステップＳ１４０８で検査進行制御部１２００は当該撮影が割り込み撮影であったか否かを判定する。割り込み撮影があったか否かは、第一の撮影モードの実行中に指示取得部１２０５が割り込み撮影であると判定された場合には、ステップＳ１４０９に進む。
ステップＳ１４０９で検査進行制御部１２００は割り込み撮影がすべて終了したか否かを判定する。割り込み撮影は１つではなく、緊急撮影の依頼が複数ある場合もあるため、かかる判定処理を設けている。割り込み撮影がすべて終了したと判定された場合には、ステップＳ１４１０に進む。
ステップＳ１４１０で割り込み撮影がすべて終了した場合、第一の撮影モード（集団検診モード）に復帰するのが検査者にとっての便宜である。しかし第一の撮影モードは被検者ＩＤや撮影条件が自動的に設定されるため、被検者に対する誤撮影が行われる可能性もある。例えば割り込みの検査が残っているが入力がなされていない場合もある。そこで判定部１２０７は割り込み撮影の直前に行われた検診撮影の次の検診撮影に付与されるべく生成された被検者ＩＤを、表示部１２０８に表示させ、検査者に確認させることとする。この確認がなされていない場合には、検診モードに復帰させないこととする。具体的には、検診用のＩＤが付与される撮影が行えないように検査進行制御部１２００により制御される。またここで、表示制御部１２０１は第一の撮影モードの設定確認を行う旨のメッセージを表示部１２０８に表示させ、ユーザに対して再度の設定確認を促すこととすれば利便性が向上する。
【００５５】
本実施例では、検査者が操作入力部１２０９を操作し、図７（ａ）または図４（ａ）の画面で検診ボタン４０１４を押下することで表示制御部１２０１は図７（ｂ）の画面を表示させる。図５の画面には第一の撮影モードにおける次の撮影に付与されるべき被検者ＩＤが表示される。この検診ボタン４０１４を押下する指示を指示取得部１２０５が取得する。判定部１２０７は指示取得部１２０５が指示を取得したか否かを監視する。取得したと判定された場合に検査進行制御部１２００は検診モードへの復帰を許可する制御を行う（ステップＳ１４１１）。さらに検査者が図７（ａ）または図４（ａ）のＯＫボタン５００６を押下することで、表示制御部１２０１は図７（ｃ）の画面を表示させ、中断していた検診モードを再開させる。なお判定部１２０７は指示取得部１２０５が指示を取得しない場合には集団検診モード（第一の撮影モード）への復帰を許可しない（ステップＳ１４１２）。
【００５６】
判定部１２０７による判定はステップＳ１４０９に続いて行われるだけでなく、撮影処理中や撮影処理と撮影処理の合間の任意のタイミングで行われることとする。
【００５７】
また別の例で、ステップＳ１４０９でユーザの設定に応じて割り込み撮影がすべて終了したと判定されたことに応じて、表示指示部１２０６は被検者ＩＤその他の撮影条件を表示させるダイアログを表示させる指示を表示制御部１２０１に対して行う。
【００５８】
また別の例としては、被検者ＩＤが表示された後、第一の撮影モードに復帰する旨の指示を行うためのボタンを表示部１２０８に表示させる。操作入力部１２０９を介してそのボタンが押下されたことに応じて検査進行制御部１２００は第一の撮影モードに復帰させる制御をする。これによりユーザが確認をしたことより正確に判定することができる。
【００５９】
また、ユーザがボタンを押下する操作を行わずとも、被検者ＩＤが表示されたダイアログが既定の時間表示された後に自動的に第一の撮影モードを再開することとすることで、ユーザの操作負担を軽減することができる。
【００６０】
ステップＳ１４０８で割り込み撮影でないと判定された場合には、例えば第一の撮影モードではなく通常の第二の撮影モードである場合と考えられるため、ステップＳ１４０１に進み撮影処理が行われる。
ステップＳ１４０９で、割り込み撮影がすべて終了していないと判定された場合には、残りの割り込み撮影を実行するためステップＳ１４０１に進み撮影処理が行われる。
【００６１】
以上のとおり、割り込み撮影が終了後第一の撮影モードに復帰する前に、ユーザに再度の設定確認を促し、誤撮影が発生する可能性を低減させることができる。  〔その他の実施例〕
上述の実施例４では割り込み撮影からの復帰後は常にユーザに再度の設定確認を促すこととしたが、誤撮影が発生する可能性が高い場合のみユーザに再度の設定確認を促すことも可能である。例えば、検診中に複数の割り込み撮影を連続して行う場合、割り込み撮影の回数が多くなればなるほど、元の検診撮影に関する状況認識が薄れ、検診撮影に関する記憶が薄れてしまうことが考えられる。そこでこのような場合には万全を期すため、ユーザに再度の設定確認を促すこととする。具体的には、判定部１２０７は割り込み撮影が連続する場合その連続する撮影回数をカウントし、この回数が所定の閾値を超えるか否かを判定する。閾値を超えたと判定された場合には、検査進行制御部１２００は割り込み撮影後に第一の撮影モードの設定確認が行われない場合に検診モードへの移行を許可しない制御をする。一方この回数が所定の閾値を超えないと判定された場合には、判定部１２０７は設定確認が行われたか否かによらず、第一の撮影モードへの復帰を許可してもよい旨の情報を通知し、これに応じて検査進行制御部１２００が第一の撮影モードへの復帰を許可する。このように、設定の誤りが生じる可能性が高い場合にのみユーザに設定の確認を促すことにより、利便性と安全性を両立した撮影を実現することができる。
【００６２】
その他、割り込み撮影が開始後に前記撮影制御を行うシステムが再起動されたと判定部１２０７が判定した場合、設定のミスが発生する可能性が高いとして、検査進行制御部１２００は第一の撮影モードの設定が表示された後に第一の撮影モードへの復帰を許可する。また、割り込み撮影が中断している検診とは異なる設定で行われる検診撮影であると判定部１２０７が判定した場合には、設定のミスが発生する可能性が高いとして、検査進行制御部１２００は第一の撮影モードの設定が表示された後に第一の撮影モードへの復帰を許可する。このほかの場合には、判定部１２０７は設定確認が行われたか否かによらず、第一の撮影モードへの復帰を許可してもよい旨の情報を通知し、これに応じて検査進行制御部１２００が第一の撮影モードへの復帰を許可することとしてもよい。
上述の実施例では本発明をソフトウェアとコンピュータのハードウェアにより実現する例を示したが、この場合当該ソフトウェアを記憶した記憶媒体も本発明を構成することは言うまでもない。  上述の撮影制御装置１２はＣＰＵを含む電子計算機（コンピュータ）とソフトウェアとの協働によって実現されるが、画像処理装置１０の各機能ブロックの一部を回路、一部をソフトウェアにより実装してもよい。回路のまとまりは機能ブロック単位に限定されることはなく、機能の一部のみを回路として実装することとしてもよい。
【００６３】
また、撮影制御装置１２の各機能を複数の装置に分散させた撮影制御システムとすることも可能である。
【００６４】
上述の実施例はあくまで実施形態を例示したものであり、本発明はこれら実施例に限定されるものではない。
【符号の説明】
【００６５】
１００  Ｘ線撮影システム
１０１０  Ｘ線撮影装置
１２  撮影制御装置
１２００  検査進行制御部
１２０１  表示制御部
１２０２  モード設定部
１２０３  ＩＤ生成部
１２０４  割り込み撮影指示部
１２０５  指示取得部
【図１】
0005854616.tif 000002
【図２】
0005854616.tif 000003
【図３】
0005854616.tif 000004
【図４】
0005854616.tif 000005
【図５】
0005854616.tif 000006
【図６】
0005854616.tif 000007
【図７】
0005854616.tif 000008
【図８】
0005854616.tif 000009
【図９】
0005854616.tif 000010
【図１０】
0005854616.tif 000011
【図１１】
0005854616.tif 000012
【図１２】
0005854616.tif 000013
【図１３】
0005854616.tif 000014
【図１４】
0005854616.tif 000015